(57)【特許請求の範囲】
【請求項１】
チェーンを支持するガイドバーをチェーンソー本体に固定するために機体内に設けられているアンカーボルトと、
該アンカーボルトに螺合する六角ナットと、
前記ガイドバーに係合するアジャストピンと、
該アジャストピンが螺合されると共に前記ガイドバーの軸方向に伸びるねじ棒と、
該ねじ棒の一端に設けられている第１のヘリカルギヤと、
該第１のヘリカルギヤに係合する第２のヘリカルギヤと、
該第２のヘリカルギヤと同軸に取り付けられ、回転操作することによって当該第２のヘリカルギヤを回転させる回転部材とを備えるチェーンソーにおいて、
前記六角ナットと同一軸線上において、当該軸線方向移動可能かつ当該軸線回りに回転可能に設けられると共に、前記六角ナットの頭部に嵌合する六角穴を該六角ナット側に有する筒部材と、
該筒部材の前記六角穴と反対側に起倒可能に設けられるレバーとを有し、
前記回転部材及び前記レバーが、前記チェーンソー本体の側面に装着されるスプロケットカバーの外側から操作可能に配置されると共に、
前記レバーを引き起こして機体に対して前記アンカーボルトの軸方向に移動させることにより前記筒部材を前記六角ナットに嵌合させることができる様に構成されると共に、
前記レバーは、引き起こした状態のときに前記筒部材の外面と係合して起立状態を維持するための起立状態維持機構を備え、かつ、倒した状態のときに  前記レバー側の突起と前記スプロケットカバー側の穴との係合、又は前記レバー側のリブと前記スプロケットカバー側のリブとの係合によって、前記回転部材を少なくとも部分的に覆い隠すことのできる位置に収納されることで、前記回転部材の回転操作を妨げる様に構成され、
さらに、前記六角ナット、筒部材、アジャストピン、ねじ棒、第１のヘリカルギヤ及び第２のヘリカルギヤが、前記スプロケットカバーと一体に前記チェーンソー本体に対して脱着できる様に、当該スプロケットカバー内に配設されていること
を特徴とするチェーンソー。
【請求項２】
請求項１記載のチェーンソーにおいて、
前記回転部材は、その表面に指でつまんで回転操作をするためのツマミを備えていること
を特徴とするチェーンソー。
【発明の詳細な説明】
【０００１】
【発明の属する技術分野】
本発明は、チェーンソーに係り、特にそのチェーンの張り具合の調整に当たっての工具レス化に関するものである。
【０００２】
【従来の技術】
従来、チェーンソーにおいては、チェーンを支持するガイドバーをチェーンソー本体に対してアンカーボルト及び六角ナットを用いて固定する様に構成されている。また、チェーンの張りを調整するために、ガイドバーを軸方向に移動可能に構成すると共に、前述の六角ナットを六角レンチを用いて緩めた上で、チェーンソー本体の前面側からドライバーを挿入して、ガイドバーを軸線方向に移動させるための調整ネジを回転させてガイドバーを軸線方向に移動させるといった作業が行われている。
【０００３】
【発明が解決しようとする課題】
このため、従来のチェーンソーでは、六角レンチやドライバーといった工具を別途用意しておかなければ、チェーンの張り具合の調整等を行うことができないという問題がある。また、ドライバーの挿入方向が機体の前面側からとされているので、操作がやり難いという問題もある。
【０００４】
そこで、本発明は、チェーンソーにおいて、チェーンの張り具合の調整に当たり、別途工具を用意しなくてもよくすると共に、その操作性を向上させることを目的とすると共に、部品等の紛失を防止することをも目的とする。
【０００５】
【課題を解決するための手段】
かかる目的を達成するためになされた本発明のチェーンソーは、
チェーンを支持するガイドバーをチェーンソー本体に固定するために機体内に設けられているアンカーボルトと、
該アンカーボルトに螺合する六角ナットと、
前記ガイドバーに係合するアジャストピンと、
該アジャストピンが螺合されると共に前記ガイドバーの軸方向に伸びるねじ棒と、
該ねじ棒の一端に設けられている第１のヘリカルギヤと、
該第１のヘリカルギヤに係合する第２のヘリカルギヤと、
該第２のヘリカルギヤと同軸に取り付けられ、回転操作することによって当該第２のヘリカルギヤを回転させる回転部材とを備えるチェーンソーにおいて、
前記六角ナットと同一軸線上において、当該軸線方向移動可能かつ当該軸線回りに回転可能に設けられると共に、前記六角ナットの頭部に嵌合する六角穴を該六角ナット側に有する筒部材と、
該筒部材の前記六角穴と反対側に起倒可能に設けられるレバーとを有し、
前記回転部材及び前記レバーが、前記チェーンソー本体の側面に装着されるスプロケットカバーの外側から操作可能に配置されると共に、
前記レバーを引き起こして機体に対して前記アンカーボルトの軸方向に移動させることにより前記筒部材を前記六角ナットに嵌合させることができる様に構成されると共に、
前記レバーは、引き起こした状態のときに前記筒部材の外面と係合して起立状態を維持するための起立状態維持機構を備え、かつ、倒した状態のときに  前記レバー側の突起と前記スプロケットカバー側の穴との係合、又は前記レバー側のリブと前記スプロケットカバー側のリブとの係合によって、前記回転部材を少なくとも部分的に覆い隠すことのできる位置に収納されることで、前記回転部材の回転操作を妨げる様に構成され、
さらに、前記六角ナット、筒部材、アジャストピン、ねじ棒、第１のヘリカルギヤ及び第２のヘリカルギヤが、前記スプロケットカバーと一体に前記チェーンソー本体に対して脱着できる様に、当該スプロケットカバー内に配設されていること
を特徴とする。
【０００６】
この本発明のチェーンソーによれば、チェーンの張り具合を調整する際には、まず、レバーを引き起こして例えば機体内に向かって押し込むことにより筒部材の六角穴を六角ナットに嵌合させる。そして、この状態にしてからレバーを回転させて六角ナットを緩める。次に、回転部材を回転させて第２のヘリカルギヤを所望の方向に回転させる。こうして第２のヘリカルギヤが回転するとこの第２のヘリカルギヤと係合している第１のヘリカルギヤは回転する。これに伴い、ねじ棒が回転し、ねじ棒に螺合しているアジャストピンがねじ送り機構の作用によってガイドバーの軸方向に移動する。こうしてアジャストピンがガイドバーの軸方向に移動し、このアジャストピンと係合しているガイドバーを軸方向に移動させる。この様にしてガイドバーを軸方向に移動させることで、チェーンの張り具合を調整することができる。そして、チェーンの張り具合を調整し終えたら、レバーを機体内に向かって押し込んで筒部材の六角穴を六角ナットに嵌合させ、先程とは逆方向にレバーを回転させる。これによって、六角ナットを締め付け方向に回転させることができ、ガイドバーをチェーンソー本体にしっかりと固定することができる。この様に、本発明のチェーンソーによれば、六角レンチやドライバー等を用意しておかなくても、チェーンの張り具合の調整を実行することができる。また、このチェーンの張り具合の調整作業は極めて容易な操作によって達成される。
【０００７】
【０００８】
【０００９】
また、上述した様に、本発明のチェーンソーにおいては、前記レバーを、倒した状態のときに前記回転部材を少なくとも部分的に覆い隠すことにより、当該回転部材の回転操作を妨げる様に構成したことにより、レバーを倒した状態のときに回転部材の回転操作が妨げられるので、アジャストピンに無理な力が加わるのを防止することができる。
【００１０】
【００１１】
さらに、上述した様に、本発明のチェーンソーにおいては、前記レバーを、引き起こした状態のときに前記筒部材の外面と係合して起立状態を維持するための起立状態維持機構を備えているものとして構成したことにより、レバーを起立状態に維持することができ、レバーを回転させる操作を実行し易くなる。
【００１２】
ここで、本発明のチェーンソーにおいては、前記六角ナット、筒部材、アジャストピン、ねじ棒、第１のヘリカルギヤ及び第２のヘリカルギヤが、前記スプロケットカバーと一体に前記チェーンソー本体に対して脱着できる様に、当該スプロケットカバー内に配設されているものとして構成したので、スプロケットカバーをチェーンソー本体から取り外すときに、六角ナット等の各部品がスプロケットカバーと一緒に外され、しかもスプロケットかバー内に配設されているので、これらの各部品を紛失することがない。
【００１３】
なお、上述した本発明のチェーンソーにおいて、前記回転部材は、その表面に指でつまんで回転操作をするためのツマミを備えている様に構成しておくとよい。
【００１４】
この様に構成することで、回転部材の回転操作が実行し易くなるからである。
【００１５】
【発明の実施の形態】
次に、本発明の実施の形態としてのチェーンソーについて説明する。このチェーンソー１においては、図１に示す様に、そのチェーンソー本体３に、前方へ伸びるガイドバー５が取り付けられている。そして、このガイドバー５にチェーン７が装着されている。また、ガイドバー５のスプロケット部分はスプロケットカバー８により覆われている。
【００１６】
また、チェーンソー１は、図２に示す様に、ガイドバー５をチェーンソー本体３に固定するために機体内に設けられているアンカーボルト９と、スプロケットカバー８内に配設され、このアンカーボルト９に噛み合う六角ナット１１とを備えている。また、図２〜図４に示す様に、六角ナット１１と同一軸線上において、当該軸線方向移動可能かつ当該軸線回りに回転可能に設けられると共に、六角ナット１１の頭部に嵌合する六角穴１３を六角ナット１１側に有する筒部材１５と、筒部材１５の六角穴と反対側に起倒可能に設けられるレバー１７とを備えている。さらに、図５に示す様に、スプロケットカバー８内には、ガイドバー５に係合するアジャストピン１９と、アジャストピン１９が螺合されると共にガイドバー５の軸方向に伸びるねじ棒２０と、ねじ棒２０の一端に設けられている第１のヘリカルギヤ２１と、この第１のヘリカルギヤ２１に係合する第２のヘリカルギヤ２３とを備えている。そして、図２〜図４及び図６に示す様に、第２のヘリカルギヤ２３と同軸に取り付けられ、回転操作することによって当該第２のヘリカルギヤ２３を回転させる回転部材２５が設けられている。こうして、図１，図６に示す様に、回転部材２５及びレバー１７が、スプロケットカバー８の外側から操作可能に配置されている。そして、図３，図４に示す様に、レバー１７を引き起こして機体内に向かって押し込むことにより筒部材１５を六角ナット１１に嵌合させることができる様に構成されている。
【００１７】
また、スプロケットカバー８には、図６に示す様に、回転部材２５を回転させるために指を挿入するための窪み８ａ，８ｂが設けられている。そして、レバー１７は、これを倒した場合に、一方の窪み８ｂを覆い隠す様に構成されている。この結果、レバー１７を倒した状態では、回転部材２５の回転操作が妨げられる様になっている。また、レバー１７には、図３，図４に示す様に、位置決め用の突起１７ａが設けられている。そして、この位置決め用の突起１７ａは、レバー１７を倒したときに、図６に示す様に、スプロケットカバー８に設けられている位置決め穴８ｃに挿入される様に構成されている。これにより、レバー１７を倒したときには、図６に示した様に、回転部材２５の約半分を覆い隠して当該回転部材２５の回転操作を妨げる位置に収納される様になっている。
【００１８】
さらに、図７に拡大して示す様に、筒部材１５には軸方向の溝１５ａが設けられると共に、レバー１７の後端には突起１７ｂが設けられている。この結果、レバー１７を引き起こした状態においては、突起１７ｂが溝１５ａに嵌合し、レバー１７の起立状態を維持することができる様に構成されている。
【００１９】
このチェーンソー１によれば、チェーン７の張り具合を調整する際には、まず、レバー１７を引き起こして機体内に向かって押し込むことにより筒部材１５の六角穴１３を六角ナット１１に嵌合させる。そして、この状態にしてからレバー１７を回転させて六角ナット１１を緩める。次に、回転部材２５を回転させて第２のヘリカルギヤ２３を所望の方向に回転させる。こうして第２のヘリカルギヤ２３が回転するとこの第２のヘリカルギヤ２３と係合している第１のヘリカルギヤ２１が回転する。これに伴って、ねじ棒２０が回転する。すると、このねじ棒２０に螺合しているアジャストピン１９がガイドバー５の軸方向に移動し、ガイドバー５を軸方向に移動させる。この様にしてガイドバー５を軸方向に移動させることで、チェーン７の張り具合を調整することができる。そして、チェーン７の張り具合を調整し終えたら、レバー１７を機体内に向かって押し込んで筒部材１５の六角穴１３を六角ナット１１に嵌合させ、先程とは逆方向にレバー１７を回転させる。これによって、六角ナット１１を締め付け方向に回転させることができ、ガイドバー５をチェーンソー本体３にしっかりと固定することができる。この様に、このチェーンソー１によれば、六角レンチやドライバー等を用意しておかなくても、チェーン７の張り具合の調整を実行することができる。また、このチェーン７の張り具合の調整作業は極めて容易な操作によって達成される。
【００２０】
次に、より操作性を向上させた第２の実施の形態について説明する。この第２の実施の形態のチェーンソー３０は、第１の実施の形態のチェーンソー１とほぼ同様の構成からなり、図８に示す様に、ガイドバー３１をチェーンソー本体３３に固定するために機体内に設けられているアンカーボルト３５と、スプロケットカバー３７内に配設され、このアンカーボルト３５に噛み合う六角ナット３９とを備えている。また、図８〜図１０に示す様に、六角ナット３９と同一軸線上において、当該軸線方向移動可能かつ当該軸線回りに回転可能に設けられると共に、六角ナット３９の頭部に嵌合する六角穴４１を六角ナット３９側に有する筒部材４３と、筒部材４３の六角穴４１と反対側に起倒可能に設けられるレバー４５とを備えている。さらに、図１１に示す様に、スプロケットカバー３７内には、ガイドバー３１に係合するアジャストピン４７と、アジャストピン４７が螺合されると共にガイドバー３１の軸方向に伸びるねじ棒４９と、ねじ棒４９の一端に設けられている第１のヘリカルギヤ５１と、この第１のヘリカルギヤ５１に係合する第２のヘリカルギヤ５３とを備えている。そして、図８〜図１０及び図１２に示す様に、第２のヘリカルギヤ５３と同軸に取り付けられ、回転操作することによって当該第２のヘリカルギヤ５３を回転させる回転部材５５が設けられている。こうして、図１２に示す様に、回転部材５５及びレバー４５が、スプロケットカバー３７の外側から操作可能に配置されている。そして、図９，図１０に示す様に、レバー４５を引き起こして機体内に向かって押し込むことにより筒部材４３を六角ナット３９に嵌合させることができる様に構成されている。
【００２１】
この第２の実施の形態のチェーンソー３０においては、回転部材５５には、その表面にツマミ５７が設けられている点で、第１の実施の形態のチェーンソー１と相違している。このツマミ５７を設けたことにより、回転部材５５を回転させる際の操作性が大幅に向上している。また、図１３，図１４に示す様に、レバー４５にはリブ４５ａが設けられると共に、スプロケットカバー３７側にもリブ３７ａが設けられている。そして、レバー４５を倒したときに、これらのリブ４５ａ，３７ａが係合し合うことで、レバー４５を倒した状態にしっかりと収納することができる様になっている。
【００２２】
さらに、図１５に示す様に、六角ナット３９、筒部材４３、アジャストピン４７、ねじ棒４９、第１のヘリカルギヤ５１（図では隠れている）及び第２のヘリカルギヤ５３が、スプロケットカバー３７と一体にチェーンソー本体３３に対して脱着できる様に、当該スプロケットカバー３７内に配設されている。この結果、スプロケットカバー３７を取り外したときに、各部品を紛失するといったことがない。なお、説明はしなかったが、第１の実施の形態のチェーンソー１においても同様の構成となっている。
【００２３】
このチェーンソー３０においても、チェーンの張り具合を調整する際には、まず、レバー４５を引き起こして機体内に向かって押し込むことにより筒部材４３の六角穴４１を六角ナット３９に嵌合させる。そして、この状態にしてからレバー４５を回転させて六角ナット３９を緩める。次に、ツマミ５７をつまんで回転部材５５を回転させて第２のヘリカルギヤ５３を所望の方向に回転させる。こうして第２のヘリカルギヤ５３が回転するとこの第２のヘリカルギヤ５３と係合している第１のヘリカルギヤ５１が回転する。これに伴って、ねじ棒４９が回転する。すると、このねじ棒４９に螺合しているアジャストピン４７がガイドバー３１の軸方向に移動し、ガイドバー３１を軸方向に移動させる。この様にしてガイドバー３１を軸方向に移動させることで、チェーンの張り具合を調整することができる。そして、チェーンの張り具合を調整し終えたら、レバー４５を機体内に向かって押し込んで筒部材４３の六角穴４１を六角ナット３９に嵌合させ、先程とは逆方向にレバー４５を回転させる。これによって、六角ナット３９を締め付け方向に回転させることができ、ガイドバー３１をチェーンソー本体３３にしっかりと固定することができる。この様に、このチェーンソー３０においても、六角レンチやドライバー等を用意しておかなくても、チェーン７の張り具合の調整を実行することができる。また、このチェーンの張り具合の調整作業は極めて容易な操作によって達成される。特に、ツマミ５７をつまんで回転部材５５を回転させる手法を採用しているので、回転部材５５の回転を容易に実行することができる点で第１の実施の形態のチェーンソー１よりも操作性が良くなっている。
【００２４】
以上、本発明の実施の形態について説明したが、本発明はこの実施の形態に限られるものではなく、その要旨を逸脱しない範囲内においてさらに種々の形態を採用することができることはもちろんである。
【００２５】
【発明の効果】
以上説明した様に、本発明によれば、チェーンソーにおいて、チェーンの張り具合の調整に当たり、別途工具を用意しなくてもよくすると共に、その操作性を向上させることができる。
【図面の簡単な説明】
【図１】  実施の形態のチェーンソーの要部を示す側面図である。
【図２】  第１の実施の形態のチェーンソーの要部を示す断面図である。
【図３】  第１の実施の形態のチェーンソーの要部を示す断面図である。
【図４】  第１の実施の形態のチェーンソーの要部を示す断面図である。
【図５】  第１の実施の形態のチェーンソーにおけるスプロケットカバーの要部を示す背面図である。
【図６】  第１の実施の形態のチェーンソーにおけるスプロケットカバーの表面を示す正面図である。
【図７】  第１の実施の形態のチェーンソーにおけるレバーと筒部材の係合部を示す要部拡大図である。
【図８】  第２の実施の形態のチェーンソーの要部を示す断面図である。
【図９】  第２の実施の形態のチェーンソーの要部を示す断面図である。
【図１０】  第２の実施の形態のチェーンソーの要部を示す断面図である。
【図１１】  第２の実施の形態のチェーンソーにおけるスプロケットカバーの要部を示す背面図である。
【図１２】  第２の実施の形態のチェーンソーにおけるスプロケットカバーの表面を示す正面図である。
【図１３】  第２の実施の形態のチェーンソーにおけるレバーとスプロケットカバーの要部を示す断面図である。
【図１４】  第２の実施の形態のチェーンソーにおけるレバーとスプロケットカバーの要部を示す断面図である。
【図１５】  第２の実施の形態のチェーンソーにおけるスプロケットカバーの要部を示す断面図である。
【符号の説明】
１・・・チェーンソー、３・・・チェーンソー本体、５・・・ガイドバー、７・・・チェーン、８・・・スプロケットカバー、８ａ，８ｂ・・・窪み、８ｃ・・・位置決め穴、９・・・アンカーボルト、１１・・・六角ナット、１３・・・六角穴、１５・・・筒部材、１５ａ・・・軸方向の溝、１７・・・レバー、１７ａ・・・位置決め用の突起、１７ｂ・・・突起、１９・・・アジャストピン、２０・・・ねじ棒、２１・・・第１のヘリカルギヤ、２３・・・第２のヘリカルギヤ、２５・・・回転部材、３０・・・チェーンソー、３１・・・ガイドバー、３３・・・チェーンソー本体、３５・・・アンカーボルト、３７・・・スプロケットカバー、３７ａ・・・リブ、３９・・・六角ナット３９、４１・・・六角穴、４３・・・筒部材、４５・・・レバー、４５ａ・・・リブ、４７・・・アジャストピン、４９・・・ねじ棒、５１・・・第１のヘリカルギヤ、５３・・・第２のヘリカルギヤ、５５・・・回転部材、５７・・・ツマミ。
【図１】
0003712594.tif 000002
【図２】
0003712594.tif 000003
【図３】
0003712594.tif 000004
【図４】
0003712594.tif 000005
【図５】
0003712594.tif 000006
【図６】
0003712594.tif 000007
【図７】
0003712594.tif 000008
【図８】
0003712594.tif 000009
【図９】
0003712594.tif 000010
【図１０】
0003712594.tif 000011
【図１１】
0003712594.tif 000012
【図１２】
0003712594.tif 000013
【図１３】
0003712594.tif 000014
【図１４】
0003712594.tif 000015
【図１５】
0003712594.tif 000016